(57)【特許請求の範囲】
【請求項１】
竪樋を保持する保持部材を建物の外壁に支持する竪樋支持具であって、
建物の外壁に一端が挿入して固定され、他端には板状の部材である突起部が設けられている固定部材と、
一端が前記保持部材と着脱可能とされ、他端には前記突起部が挿入可能な切込部が設けられている着脱部材と、
前記切込部および前記切込部に挿入された前記突起部を貫通し、前記固定部材と前記着脱部材とを着脱可能および回動可能に連結する軸部材と、を備える
ことを特徴とする竪樋支持具。
【請求項２】
前記軸部材は、前記固定部材と前記着脱部材とが連結する位置と、前記連結が解除される位置と、に変位可能である
ことを特徴とする請求項１に記載の竪樋支持具。
【請求項３】
前記軸部材は、少なくともその一部にねじ山が形成されたねじであって、
前記固定部材および前記着脱部材のいずれか一方には前記ねじ山と螺合する雌ねじが形成されており、
前記ねじ山を前記雌ねじに螺合させることで、前記連結が実現される
ことを特徴とする請求項２に記載の竪樋支持具。
【請求項４】
前記竪樋支持具には、前記軸部材を取り付けた状態において、前記軸部材のねじ頭が挿入される溝部が形成されている
ことを特徴とする請求項３に記載の竪樋支持具。
【請求項５】
前記固定部材および前記着脱部材は柱状の部材であって、前記固定部材と前記着脱部材が直線状に並ぶ直線形態と、前記固定部材と前記着脱部材が折れ曲がった折り曲げ形態と、の間で回動可能に連結される
ことを特徴とする請求項１から請求項４のいずれか１項に記載の竪樋支持具。
【請求項６】
請求項１から請求項５のいずれか１項に記載の竪樋支持具と、前記竪樋支持具に着脱可能である保持部材と、からなる竪樋支持具セット。
【発明の詳細な説明】
【技術分野】
【０００１】
本発明は、建物に設置される竪樋を支持するための竪樋支持具に関する。
【背景技術】
【０００２】
従来、建物の外壁に沿って竪樋を支持するために、竪樋を保持する保持部材と、保持部材を外壁に固定する竪樋支持具と、が用いられている。例えば、一端が外壁に打ち込まれたアンカーに挿入され、他端で竪樋支持バンド（保持部材）を保持する竪樋支持具が提案されている（特許文献１参照）。このような竪樋支持具と保持部材を複数配置することで、竪樋を外壁に沿って固定することができる。
【先行技術文献】
【特許文献】
【０００３】
【特許文献１】特開２００８−８２１０６号公報
【発明の概要】
【発明が解決しようとする課題】
【０００４】
既設の竪樋において、竪樋支持具が腐食などにより劣化したり破損したりすると、竪樋はそのままに竪樋支持具のみの交換が必要となる場合がある。このとき他の竪樋支持具が竪樋を支持していれば、竪樋は移動させることができない。すると、図８に示すように、保持部材１０１を竪樋１０７から外して竪樋支持具１０３を外壁１０５から抜くと（図中右方向へ移動させると）、竪樋１０７と竪樋支持具１０３の間隔Ｄが小さいため竪樋支持具１０３と竪樋１０７とが接触してしまい、竪樋支持具１０３を外壁１０５から容易に引き抜くことができず、竪樋支持具１０３の交換が困難になるという問題があった。
【０００５】
本発明は、上述した問題に鑑みてなされたものであり、その目的は、竪樋が取り付けられた状態でも外壁に対して容易に着脱作業が行える竪樋支持具および竪樋支持具セットを提供することである。
【課題を解決するための手段】
【０００６】
上述した問題を解決するためになされた請求項１に記載の発明は、竪樋を保持する保持部材を建物の外壁に支持する竪樋支持具であって、固定部材，着脱部材，軸部材とを備えている。
【０００７】
固定部材は、建物の外壁にその一端を挿入して固定するものであり、例えば外壁に差し込むピンやねじのような形状を有しているものである。この固定部材を差し込むことによって、竪樋支持具全体が外壁に取り付けられる。また、他端には板状の部材である突起部が設けられている。
【０００８】
着脱部材は、一端が保持部材と着脱可能となっている。また他端には突起部が挿入可能な切込部が設けられている。軸部材は、切込部および切込部に挿入された突起部を貫通し、固定部材と着脱部材とを着脱可能および回動可能に連結するものである。
即ち、このように構成された竪樋支持具は、外壁に固定された固定部材と連結した着脱部材に対して保持部材が取り付けられることで、保持部材は外壁に支持されることとなる。
【０００９】
上記構成の竪樋支持具では、固定部材が外壁に固定された状態で着脱部材を回動させることで、着脱部材の外壁からの突出量（着脱部材の外壁からの距離）が変化し、それに伴って着脱部材と竪樋との間の距離も変化する。そのため、着脱部材を回動させて着脱部材と竪樋との間の距離を広くしておくことで、着脱部材が竪樋に接触するまでに引き抜ける距離を長くできる。
【００１０】
従って、竪樋支持具を外壁から取り外す際に竪樋に接触しにくくなくなり、竪樋支持具の取り外しを容易に行うことができるようになる。
一方、竪樋支持具を取り付ける場合にも同様に、着脱部材を回動させて突出量が小さくなる形態としてから固定部材を外壁に差し込むことで、竪樋支持具が竪樋に接触しにくくなり、容易に取り付けを行うことができる。
【００１１】
さらに、着脱部材に対して保持部材の着脱が自在であるため、外壁へ固定部材を着脱するときには保持部材を外しておくことができ、固定部材の外壁への着脱作業が簡便になる。
【００１２】
このように、上記構成の竪樋支持具であれば、竪樋が取り付けられた状態でも外壁に対して容易に着脱作業が行うことができる。
請求項２に記載の発明は、請求項１に記載の竪樋支持具において、軸部材が、固定部材と着脱部材とが連結する位置と、連結が解除される位置と、に変位可能であることを特徴とする。
【００１３】
このように構成された竪樋支持具は、上記連結が解除される位置に軸部材を変位させることによって、着脱部材と固定部材とを分離することができる。よって、竪樋支持具を建物の外壁へ固定する際に、着脱部材と固定部材とを分離させて固定部材のみを操作することが可能となり、外壁と竪樋との間の空間が狭くとも容易に竪樋支持具の着脱ができるようになる。
【００１４】
なお、上述した変位が可能な軸部材の一例として、請求項３に記載の竪樋支持具のように構成してもよい。請求項３の竪樋支持具は、軸部材として、少なくともその一部にねじ山が形成されたねじを用いるものであり、また、固定部材および着脱部材のいずれか一方にはねじ山と螺合する雌ねじが形成されており、ねじ山をその雌ねじに螺合させることで、上述した固定部材と着脱部材との連結が実現されることを特徴とする。
【００１５】
このように軸部材としてねじを用いれば、固定部材と着脱部材との連結およびその解除の操作を簡便に行うことができる。なお、このように軸部材としてねじを用いる場合には、請求項４に記載のように、竪樋支持具に対して、軸部材を取り付けた状態において軸部材のねじ頭が挿入される溝部を形成しておくことで、ねじ頭が竪樋支持具から突出する量を低減でき、竪樋支持具を操作する際にねじ頭が手などに引っ掛かってしまうことを抑制すると共に、竪樋支持具の外観品質を向上させることができる。
【００１６】
請求項５に記載の発明は、請求項１から請求項４のいずれか１項に記載の竪樋支持具であって、固定部材および着脱部材は、柱状の部材であって、固定部材と着脱部材が直線状に並ぶ直線形態と、固定部材と着脱部材が折れ曲がった折り曲げ形態と、の間で回動可能に連結されていることを特徴とする。
【００１７】
このように構成された竪樋支持具は、固定部材が建物の外壁に固定された状態で着脱部材を直線形態から折り曲げ形態となるまで回動させると、外壁に対する固定部材の抜き差し方向の長さが短くなり、竪樋支持具が竪樋に接触しにくくなるので、竪樋支持具の外壁への着脱作業を容易行うことができるようになる。
【００１８】
請求項６に記載の発明は、請求項１から請求項５のいずれか１項に記載の竪樋支持具と、その竪樋支持具に着脱可能である保持部材と、からなる竪樋支持具セットである。
このように構成された竪樋支持具セットは、請求項１から請求項５のいずれか１項に記載の竪樋支持具と同様の作用・効果を奏することができる。
【００１９】
なお、保持部材とは竪樋を保持するものであり、竪樋の形状に応じて様々な形状をとることができる。保持部材の一例として、竪樋を囲うリング形状のものが挙げられる。
【図面の簡単な説明】
【００２０】
【図１】実施例の竪樋支持具セットを示す斜視図
【図２】実施例の竪樋支持具を示す斜視図
【図３】固定部材の正面図（Ａ）および平面図（Ｂ）
【図４】着脱部材の正面図（Ａ）および平面図（Ｂ）
【図５】固定部材と着脱部材の連結部分を拡大した断面図
【図６】固定部材および着脱部材を直線形態とした状態の図（Ａ）および折り曲げ形態とした状態の図（Ｂ）
【図７】竪樋支持具を外壁に取り付けた状態を示す側面図
【図８】従来の竪樋支持具を示す図
【発明を実施するための形態】
【００２１】
以下に本発明の実施形態を図面と共に説明する。ただし、以下に説明する実施形態は、あくまでも例示にすぎず、本発明が、下記の事例以外にも様々な形態で実施できるのはもちろんである。
［実施例］
（１）全体構成
本実施例の竪樋支持具セット１は、竪樋を建物の外壁に沿って支持するものであって、図１に示すように、竪樋を保持する保持部材３と、保持部材３を建物の外壁に支持する竪樋支持具５とからなる。
【００２２】
竪樋支持具５は、図２に示すように、固定部材７と、着脱部材９と、軸部材１１と、からなる。
固定部材７を図３（Ａ），（Ｂ）に示す。図３（Ａ）は固定部材７の正面図，図３（Ｂ）は平面図である。固定部材７は略柱状の部材であって、一端に雄ねじ部１３が形成され、他端に突起部１５が形成されてなるものである。
【００２３】
雄ねじ部１３は、建物の外壁に埋め込まれた雌のアンカーボルトや外壁に形成されたねじ穴に螺合可能に形成されており、雄ねじ部１３をそれらに挿入して螺合させることで外壁に固定することができる。
【００２４】
突起部１５は、雄ねじ部１３の軸方向に沿って雄ねじ部１３の先端と反対方向に延び出す板状の部材である。突起部１５の先端は斜面１５ａが形成されている。また突起部１５には、板の厚み方向に貫通するように貫通孔１７が形成されている。
【００２５】
着脱部材９を図４（Ａ），（Ｂ）に示す。図４（Ａ）は着脱部材９の正面図，図４（Ｂ）は平面図である。着脱部材９は略柱状の部材であって、一端には長穴２１が設けられた板状部２３が形成され、他端には略円柱形状の円柱部２５が形成されてなるものである。
【００２６】
円柱部２５の他端（板状部２３の反対側となる端部）には、円柱部２５を直径方向に貫通する切込部２７が形成されている。この切込部２７には上述した突起部１５が挿入可能となっている。切込部２７の底は、突起部１５の斜面１５ａが当接する当接面２７ａとなっている。
【００２７】
またこの円柱部２５は、切込部２７によって分かれた一方に雌ねじ２９が形成され、他方に貫通孔３１が形成されている。雌ねじ２９と貫通孔３１とは、切込部２７と交差するように、且つ互いに同軸上に形成されている。貫通孔３１における円柱部２５の外側の端部が、他の部分よりも孔径が大きい溝部３３として形成されている。
【００２８】
軸部材１１は雄ねじ３５が形成されたねじ部材である。この軸部材１１を用いて固定部材７および着脱部材９を連結させたときの連結部分を拡大した図を図５に示す。この図は、軸部材１１を通る平面の断面図である。
【００２９】
図５に示すように、雄ねじ３５が着脱部材９の雌ねじ２９に螺合しており、これにより着脱部材９に軸部材１１が固定されている。固定部材７の突起部１５は着脱部材９の切込部２７に挿入されており、また軸部材１１が貫通孔１７を貫通している。これによって、固定部材７は着脱部材９に連結されて、軸部材１１を中心に回動可能となる。また、溝部３３に軸部材１１のねじ頭３７が挿入される。
【００３０】
このように構成された竪樋支持具５は、上述したように軸部材１１によって固定部材７と着脱部材９が回動可能に連結される。その回動範囲を図６（Ａ），（Ｂ）を用いて説明する。図６（Ａ）に示すように、突起部１５の斜面１５ａが切込部２７の当接面２７ａに当接することによって、着脱部材９の矢印方向の回動が制限される。このように斜面１５ａが当接面２７ａに当接した状態において、固定部材７と着脱部材９とは、直線状に並ぶ直線形態となる。
【００３１】
この位置から折り曲げる（回動させる）と、図６（Ｂ）に示すように、固定部材７と着脱部材９が折れ曲がった折り曲げ形態となる。
保持部材３は、図１に示すように、軸４１を回転軸として回転可能に接続された一対の竪樋保持板４３ａ，４３ｂを備えている。竪樋保持板４３ａ，４３ｂは、半円状に形成されていて、２つを組み合わせることでリング状となり、図示しない竪樋を保持可能となる。竪樋保持板４３ａ，４３ｂにおける軸４１と反対側の端部はフランジ状に形成されており、ボルト４５が貫通可能なボルト穴４７が２箇所に形成されている。
【００３２】
竪樋保持板４３ａ，４３ｂのフランジ部分によって着脱部材９の板状部２３を挟み込み、長穴２１とボルト穴４７とを合わせた状態で、ボルト穴４７にボルト４５を通してナット４９で固定することで、保持部材３は着脱部材９に対して取り付けられる。
（２）竪樋支持具の奏する効果
図７（Ａ）に、既設の竪樋５１および竪樋支持具セット１と建物の外壁５３の側面図を示す。なお外壁５３のみ断面を示している。固定部材７が外壁５３に固定され、その固定部材７と連結する着脱部材９に保持部材３が取り付けられていることにより、保持部材３は外壁５３に支持されて竪樋５１を保持することができる。このとき、竪樋支持具５は上述した直線形態となっている。
【００３３】
竪樋支持具セット１を取り外す際には、まず保持部材３を着脱部材９から取り外す。保持部材３を着脱部材９から取り外すことで、その後の作業を容易に行うことができるようになる。
【００３４】
保持部材３を取り外した状態では、竪樋支持具５と竪樋５１の間隔Ｄ１は小さい。ここで、図７（Ｂ）に示すように、着脱部材９を回動させて折り曲げ形態とすると、竪樋支持具５と竪樋５１の間隔Ｄ２が大きくなり、固定部材７を外壁５３から引き抜いても着脱部材９が竪樋５１に接触しにくくなるため、固定部材７を容易に外壁５３から取り外すことができる。
【００３５】
一方、竪樋支持具５を取り付ける場合にも同様に、着脱部材９を回動させて折り曲げ形態としてから固定部材７を外壁に差し込むことで、着脱部材９が竪樋５１に接触しにくくなり、外壁５３への竪樋支持具５の取り付けを容易に行うことができる。
【００３６】
このように、本実施例の竪樋支持具セット１では、保持部材３が着脱部材９に対して着脱が自在であり、かつ固定部材７と着脱部材９が回動可能であることから、固定部材７の外壁５３への着脱（即ち竪樋支持具５の外壁５３への着脱）を容易に行うことができる。
【００３７】
また、折り曲げ形態であるときには、着脱部材９を操作して固定部材７の回転操作（雄ねじ１３を外壁に対して着脱する操作）を行うことも可能となり、固定部材７の外壁５３への着脱をさらに簡便に行うことができるようになる。
【００３８】
なお、竪樋支持具５を取り付ける際には、図７（Ａ），（Ｂ）のように回動範囲が上側となる位置関係で外壁５３に固定するとよい。このように竪樋支持具５を固定すると、着脱部材９の自重によって、固定部材７と着脱部材９との直線形態が維持される。そのため、保持部材３を竪樋５１に取り付ける際に、着脱部材９を持ち上げて保持する必要がなくなり、保持部材３の取り付け作業が簡便になる。また取り付け後に保持部材３が下方向にずれてしまうことが抑制できる。
【００３９】
ところで、本実施例の竪樋支持具５は、軸部材１１を取り外すことで着脱部材９を固定部材７から分離させて取り外すことができる。竪樋支持具５の着脱作業を行う際に着脱部材９を予め取り外しておくと、固定部材７のみを操作して外壁５３への着脱を行うことができるため、外壁５３と竪樋５１との間の空間をさらに広く使うことができる。この場合には、固定部材７の突起部１５を工具などで固定して着脱操作を行うことができる。
【００４０】
また、軸部材１１はねじであるため、ドライバーなどを用いて簡便に着脱を行うことができる。さらに軸部材１１を着脱部材９に取り付けた後、ねじ頭３７は溝部３３に収納されるため、ねじ頭３７が手などに引っ掛かったりすることを抑制できると共に、竪樋支持具５の外観品質を向上させることができる。
【００４１】
なお、軸部材１１の雄ねじ３５が着脱部材９の雌ねじ２９に螺合した位置が、本発明における固定部材と着脱部材とが連結する位置に相当し、螺合を解除して取り外した位置が、本発明における連結が解除される位置に相当する。
（３）変形例
以上、本発明の実施例について説明したが、本発明は、上記実施例に何ら限定されることはなく、本発明の技術的範囲に属する限り種々の形態をとり得ることはいうまでもない。
【００４２】
例えば、上記実施例においては、固定部材７が雄ねじ部１３を備えており、雄ねじ部１３により竪樋支持具５を外壁に固定する構成を例示したが、外壁に挿入して固定できるものであれば、その構成は雄ねじ部１３に限定されない。例えば、棒状、板状のものを外壁に差し込むことで固定されるように構成されていてもよい。
【００４３】
また、竪樋を保持する保持部材は上記実施例のものに限定されず、様々な形状のものを用いることができる。
また、上記実施例においては、軸部材１１としてねじを用いる構成を例示したが、固定部材７と着脱部材９とを回動可能に連結できるものであれば、ねじに限定されることなく様々なものを用いることができる。例えばピンのようなものを用いてもよい。その際、そのピンなどを変位させて固定部材７と着脱部材９との分離が可能となるように構成しておけば、ねじを用いる場合と同様の作用、効果を奏することができる。
【００４４】
なお、軸部材は、一度取り付けると取り外し不能となるように構成されていてもよい。例えば軸部材を取り付けて固定部材と着脱部材とを連結させた後に、かしめなどにより変形させたり別の部品と組み合わせたりして取り外しを不能とすることが考えられる。軸部材がこのように構成されていれば、取り付け時には固定部材のみを用いて簡便に取り付けが行えるうえ、取り外し時には着脱部材を回動させて容易に取り外しを行うことができる。
【００４５】
また、上記実施例においては、軸部材１１を着脱部材９に形成された雌ねじ２９に螺合させる構成を例示したが、雌ねじが着脱部材９には形成されず、固定部材７に形成されている構成であってもよい。
【００４６】
また、固定部材７および着脱部材９の構造は上述したものに限定されず、様々な形状とすることができる。
【符号の説明】
【００４７】
１…竪樋支持具セット、３…保持部材、５…竪樋支持具、７…固定部材、９…着脱部材、１１…軸部材、１３…雄ねじ部、１５…突起部、１５ａ…斜面、１７…貫通孔、２１…長穴、２３…板状部、２５…円柱部、２７…切込部、２７ａ…当接面、３１…貫通孔、３３…溝部、３５…雄ねじ、３７…ねじ頭、４１…軸、４３ａ，４３ｂ…竪樋保持板、４５…ボルト、４７…ボルト穴、４９…ナット、５１…竪樋、５３…外壁、１０１…保持部材、１０３…竪樋支持具、１０５…外壁、１０７…竪樋
【図１】
0005554144.tif 000002
【図２】
0005554144.tif 000003
【図３】
0005554144.tif 000004
【図４】
0005554144.tif 000005
【図５】
0005554144.tif 000006
【図６】
0005554144.tif 000007
【図７】
0005554144.tif 000008
【図８】
0005554144.tif 000009